【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
ワイヤレスデバイスにおけるマシンタイプ通信のための方法であって、
接続モードにおいて少なくとも1つの共有チャネル上でネットワークと通信するための複数のモードに従って動作するための能力の指示を送信するステップであって、前記複数のモードは、狭帯域モードおよび少なくとも1つの広帯域化モードを含み、各広帯域化モードは、前記狭帯域モードに関連付けられた狭帯域共有チャネル帯域幅と、広帯域モードに関連付けられた広帯域共有チャネル帯域幅との間の共有チャネル帯域幅に少なくとも部分的に基づき、前記狭帯域共有チャネル帯域幅は、前記広帯域共有チャネル帯域幅とは異なる、ステップと、
(a)狭帯域グラントおよび(b)広帯域化グラントまたは広帯域グラントの複数のモードのうちの1つまたは複数での動作に関連付けられた共有チャネル割当てを監視するステップと、
前記監視するステップに少なくとも部分的に基づいて共有チャネル割当てを受信するステップであって、前記受信した共有チャネル割り当てが、前記狭帯域モードまたは前記少なくとも1つの広帯域化モードのうちの1つでの動作に関連付けられる、ステップと、
前記接続モードにあるとき、前記受信された共有チャネル割当てに従って、共有チャネル上で通信するステップとを含む方法。
【請求項２】
(a)狭帯域グラントおよび(b)広帯域化グラントまたは広帯域グラントにおいて、前記共有チャネル割当てについて監視するステップが、(a)共通探索空間中の狭帯域グラントおよび(b)デバイス固有探索空間中の広帯域化グラントまたは広帯域グラントにおいて、前記共有チャネル割当てについて監視するステップを含む、請求項1に記載の方法。
【請求項３】
前記ネットワークから、少なくとも1つの共有チャネル割当てについて監視するための指示を受信するステップと、
前記少なくとも1つの共有チャネル割当てについて監視するための、前記受信された指示に従って、前記共有チャネル割当てについて監視するステップとをさらに含み、
前記共有チャネル割当てについて監視する前記ステップは、前記共有チャネル割当てについて少なくとも1つの広帯域グラントを監視するステップであって、各広帯域グラントは前記広帯域モードに関連付けられる、ステップ、前記少なくとも1つの広帯域グラントに割り振られたリソースブロックのサブセットを、前記共有チャネル割当てについて監視するステップ、前記少なくとも1つの広帯域化モードに関連付けられた少なくとも1つの広帯域化グラントを、前記共有チャネル割当てについて監視するステップ、狭帯域のグループに関連付けられた少なくとも1つの広帯域化グラントを、前記共有チャネル割当てについて監視するステップ、またはそれらの組合せのうちの少なくとも1つを含む、請求項1に記載の方法。
【請求項４】
接続モードにおいて少なくとも1つの共有チャネル上でネットワークと通信するための複数のモードに従って動作するための、前記指示される能力は、前記ワイヤレスデバイスの最大サポート帯域幅の指示を含み、前記共有チャネル割当ては、前記ワイヤレスデバイスの前記最大サポート帯域幅以下である共有チャネル帯域幅を有するモードに関連付けられる、請求項1に記載の方法。
【請求項５】
受信する前記ステップおよび通信する前記ステップはクロスサブフレームで起こる、請求項1に記載の方法。
【請求項６】
前記共有チャネル割当てに関連付けられた周波数ホッピングの指示を受信するステップであって、前記周波数ホッピングの前記指示は、広帯域化モードに関連付けられたより広い帯域に少なくとも部分的に基づく周波数ホッピングオフセット、リソースブロックの数に少なくとも部分的に基づく周波数ホッピングオフセット、ミラーホッピングを使うための指示、アップリンク通信にスロットベースのホッピングを使うための指示、または周波数ホッピングを使わないという指示のうちの少なくとも1つを含む、ステップをさらに含む、請求項1に記載の方法。
【請求項７】
ダウンリンク通信のための不連続リソース割振りの指示、またはアップリンク通信のためのマルチクラスタリソース割振りの指示のうちの少なくとも1つを受信するステップをさらに含む、請求項1に記載の方法。
【請求項８】
半永続的スケジューリング(SPS)が前記複数のモードのうちのあるモード用にアクティブ化されていることを示す無線リソース制御(RRC)メッセージを受信するステップをさらに含む、または、
半永続的スケジューリング(SPS)がアクティブ化されていることを示す無線リソース制御(RRC)メッセージを受信するステップと、
前記ワイヤレスデバイスの最大サポート帯域幅、または前記共有チャネル割当てに関連付けられたモードに少なくとも部分的に基づいて、前記SPSがアクティブ化されている、前記複数のモードのうちの前記モードを識別するステップをさらに含む、請求項1に記載の方法。
【請求項９】
マシンタイプ通信(MTC)物理ダウンリンク制御チャネル(MPDCCH)の送信に使われる狭帯域を含むサブバンドを識別するステップであって、前記サブバンドは、前記MPDCCH用に使われる前記狭帯域よりも大きい帯域幅を有する、ステップと、
前記少なくとも1つの広帯域化モードのうちの1つで通信するとき、前記識別されたサブバンドについてのチャネル状態情報(CSI)フィードバックを送信するステップとをさらに含む、請求項1に記載の方法。
【請求項１０】
チャネル状態情報(CSI)フィードバックに関連付けられたサブバンドを識別するステップであって、前記サブバンドは、前記狭帯域共有チャネル帯域幅と前記広帯域共有チャネル帯域幅との間の帯域幅を有する、ステップと、
前記少なくとも1つの広帯域化モードのうちの1つで通信するとき、前記識別されたサブバンドについてのCSIフィードバックを送信するステップとをさらに含む、請求項1に記載の方法。
【請求項１１】
前記狭帯域モードに関連付けられた単一セル地点対多地点(SC-PTM)リソースの第1のセットと、前記少なくとも1つの広帯域化モードのうちの少なくとも第1の広帯域化モードに関連付けられたSC-PTMリソースの第2のセットとを識別するシステム情報ブロックを受信するステップをさらに含む、請求項1に記載の方法。
【請求項１２】
前記システム情報ブロック中で、前記狭帯域モードに関連付けられたSC-PTMリソースの前記第1のセットに関連付けられた第1のトランスポートブロックサイズ(TBS)の第1の指示、および前記第1の広帯域化モードに関連付けられたSC-PTMリソースの前記第2のセットに関連付けられた第2のTBSの第2の指示を受信するステップをさらに含む、または、
マシンタイプ通信(MTC)物理ダウンリンク制御チャネル(MPDCCH)中で、前記狭帯域モードに関連付けられたSC-PTMリソースの前記第1のセットに関連付けられた第1のトランスポートブロックサイズ(TBS)の第1の指示、または前記第1の広帯域化モードに関連付けられたSC-PTMリソースの前記第2のセットに関連付けられた第2のTBSの第2の指示を受信するステップをさらに含む、請求項11に記載の方法。
【請求項１３】
前記狭帯域モード用の測位基準シンボル(PRS)の第1のセット、前記少なくとも1つの広帯域化モードのうちの少なくとも第1の広帯域化モード用のPRSの第2のセット、またはそれらの組合せのうちの少なくとも1つの、指示を受信するステップをさらに含む、請求項1に記載の方法。
【請求項１４】
ワイヤレスデバイスにおけるマシンタイプ通信のための装置であって、
接続モードにおいて少なくとも1つの共有チャネル上でネットワークと通信するための複数のモードに従って動作するための能力の指示を送信するための手段であって、前記複数のモードは、狭帯域モードおよび少なくとも1つの広帯域化モードを含み、各広帯域化モードは、前記狭帯域モードに関連付けられた狭帯域共有チャネル帯域幅と、広帯域モードに関連付けられた広帯域共有チャネル帯域幅との間の共有チャネル帯域幅に少なくとも部分的に基づき、前記狭帯域共有チャネル帯域幅は、前記広帯域共有チャネル帯域幅とは異なる、手段と、
(a)狭帯域グラントおよび(b)広帯域化グラントまたは広帯域グラントの複数のモードのうちの1つまたは複数での動作に関連付けられた共有チャネル割当てを監視するための手段と、
前記監視するための手段に少なくとも部分的に基づいて共有チャネル割当てを受信するための手段であって、前記受信した共有チャネル割り当てが、前記狭帯域モードまたは前記少なくとも1つの広帯域化モードのうちの1つでの動作に関連付けられる、手段と、
前記接続モードにあるとき、前記受信された共有チャネル割当てに従って、共有チャネル上で通信するための手段とを備える装置。
【請求項１５】
ワイヤレスデバイスにおけるマシンタイプワイヤレス通信のためのコンピュータ実行可能コードを記憶する非一時的コンピュータ可読記憶媒体であって、前記コードは、
接続モードにおいて少なくとも1つの共有チャネル上でネットワークと通信するための複数のモードに従って動作するための能力の指示を送信することであって、前記複数のモードは、狭帯域モードおよび少なくとも1つの広帯域化モードを含み、各広帯域化モードは、前記狭帯域モードに関連付けられた狭帯域共有チャネル帯域幅と、広帯域モードに関連付けられた広帯域共有チャネル帯域幅との間の共有チャネル帯域幅に少なくとも部分的に基づき、前記狭帯域共有チャネル帯域幅は前記広帯域共有チャネル帯域幅とは異なる、送信することと、
(a)狭帯域グラントおよび(b)広帯域化グラントまたは広帯域グラントの複数のモードのうちの1つまたは複数での動作に関連付けられた共有チャネル割当てを監視することと、
前記監視することに少なくとも部分的に基づいて共有チャネル割当てを受信することであって、前記受信した共有チャネル割り当てが、前記狭帯域モードまたは前記少なくとも1つの広帯域化モードのうちの1つでの動作に関連付けられる、ことと、
前記接続モードにあるとき、前記受信された共有チャネル割当てに従って、共有チャネル上で通信することとを行うように、プロセッサによって実行可能である、非一時的コンピュータ可読記憶媒体。